(57)【要約】【課題】  着信時に電話回線を介して交換機から送られてくる発信者電話番号データを受信し、上記発信者電話番号データに基づいて、発信者電話番号を着信履歴に蓄積する機能を有する留守番電話装置において、意味のある発信者電話番号が着信履歴から削除されることを回避することができる留守番電話装置を提供することを目的とするものである。【解決手段】  留守録転送先電話番号が上記記憶手段に登録されているときに着信し、上記発信者電話番号データ受信手段が受信した発信者電話番号が、上記留守録転送先電話番号と一致すれば、上記発信者電話番号を上記着信履歴記憶手段に記憶することを阻止する留守番電話装置である。【選択図】  図１
2005079772.tif 000002
【特許請求の範囲】
【請求項１】
相手機からの着信を検出する着信検出手段と；
着信時に電話回線を介して交換機から送られてくる発信者電話番号データを受信する発信者電話番号データ受信手段と；
上記発信者電話番号データに基づいて、発信者電話番号を、着信履歴として記憶する着信履歴記憶手段と；
上記発信者電話番号データに基づいて、発信者電話番号を表示する表示手段と；
相手機からの着信に応答する着信応答手段と；
着信応答後に、応答メッセージを再生する再生手段と；
上記応答メッセージ再生後に、相手からの音声メッセージを録音する録音手段と；
上記応答メッセージと音声メッセージとを蓄積するメッセージ記憶手段と；
上記音声メッセージを録音し、留守録転送する場合に、留守録転送先電話番号を登録操作する操作手段と；
上記留守録転送先電話番号を記憶する留守録転送先電話番号記憶手段と；
上記留守録転送先電話番号が上記記憶手段に登録されているときに着信し、上記発信者電話番号データ受信手段が受信した発信者電話番号が、上記留守録転送先電話番号と一致すれば、上記発信者電話番号を上記着信履歴記憶手段に記憶することを阻止する制御手段と；
を有することを特徴とする留守番電話装置。
【請求項２】
相手機からの着信を検出する着信検出手段と；
着信時に電話回線を介して交換機から送られてくる発信者電話番号データを受信する発信者電話番号データ受信手段と；
上記発信者電話番号データに基づいて、発信者電話番号を着信履歴として記憶する着信履歴記憶手段と；
上記発信者電話番号データに基づいて、発信者電話番号を表示する表示手段と；
相手機からの着信に応答する着信応答手段と；
着信応答後に、応答メッセージを再生する再生手段と；
上記応答メッセージ再生後に、相手からの音声メッセージを録音する録音手段と；
上記応答メッセージと音声メッセージとを蓄積するメッセージ記憶手段と；
上記音声メッセージを録音し、留守録転送する場合に、留守録転送先電話番号の登録操作を行う操作手段と；
上記留守録転送先電話番号を記憶する留守録転送先電話番号記憶手段と；
上記留守録転送先電話番号が上記記憶手段に登録され、しかも、留守録転送待機しているときに着信し、上記発信者電話番号データ受信手段が受信した発信者電話番号が、上記留守録転送先電話番号と一致すれば、上記発信者電話番号を上記着信履歴記憶手段に記憶することを阻止する制御手段と；
を有することを特徴とする留守番電話装置。
【請求項３】
相手機からの着信を検出する着信検出手段と；
着信時に電話回線を介して交換機から送られてくる発信者電話番号データを受信する発信者電話番号データ受信手段と；
上記発信者電話番号データに基づいて、発信者電話番号を着信履歴として記憶する着信履歴記憶手段と；
上記発信者電話番号データに基づいて、発信者電話番号を表示する表示手段と；
相手機からの着信に応答する着信応答手段と；
着信応答後に、応答メッセージを再生する再生手段と；
上記応答メッセージ再生後に、相手からの音声メッセージを録音する録音手段と；
応答メッセージと音声メッセージとを蓄積するメッセージ記憶手段と；
上記音声メッセージを録音し、留守録転送する場合に、留守録転送先電話番号の登録操作を行う操作手段と；
上記留守録転送先電話番号を記憶する留守録転送先電話番号記憶手段と；
上記留守録転送先電話番号が上記記憶手段に登録されているときに着信し、上記発信者電話番号データ受信手段が受信した発信者電話番号が、上記留守録転送先電話番号と一致する場合、上記相手機が遠隔操作すると、上記発信者電話番号を上記着信履歴記憶手段に記憶することを阻止する制御手段と；
を有することを特徴とする留守番電話装置。
【請求項４】
相手機からの着信を検出する着信検出手段と；
着信時に電話回線を介して交換機から送られてくる発信者電話番号データを受信する発信者電話番号データ受信手段と；
上記発信者電話番号データに基づいて、発信者電話番号を着信履歴として記憶する着信履歴記憶手段と；
上記発信者電話番号データに基づいて、発信者電話番号を表示する表示手段と；
上記相手機からの着信に応答する着信応答手段と；
着信応答後に、応答メッセージを再生する再生手段と；
上記応答メッセージ再生後に、相手からの音声メッセージを録音する録音手段と；
上記応答メッセージと音声メッセージとを蓄積するメッセージ記憶手段と；
相手機から遠隔操作を行う際に送られてくるＤＴＭＦを検出するＤＴＭＦ検出手段と；
着信後に、上記相手機から遠隔操作を受け付けると、上記着信における発信者電話番号を、上記着信履歴記憶手段に記憶することを阻止する制御手段と；
を有することを特徴とする留守番電話装置。
【請求項５】
相手機からの着信を検出する着信検出手段と；
着信時に電話回線を介して交換機から送られてくる発信者電話番号データを受信する発信者電話番号データ受信手段と；
上記発信者電話番号データに基づいて、発信者電話番号を着信履歴として記憶する着信履歴記憶手段と；
上記発信者電話番号データに基づいて、発信者電話番号を表示する表示手段と；
相手機からの着信に応答する着信応答手段と；
着信応答後に、応答メッセージを再生する再生手段と；
上記応答メッセージ再生後に、相手からの音声メッセージを録音する録音手段と；
上記応答メッセージと音声メッセージとを蓄積するメッセージ記憶手段と；
相手機から遠隔操作を行う際に送られてくるＤＴＭＦを検出するＤＴＭＦ検出手段と；
着信後、上記相手機が遠隔操作を試みた場合に、上記着信における発信者電話番号を、上記着信履歴記憶手段に記憶することを阻止する制御手段と；
を有することを特徴とする留守番電話装置。
【発明の詳細な説明】
【技術分野】
【０００１】
本発明は、発信者電話番号通知機能に対応している留守番電話装置に関する。
【背景技術】
【０００２】
電話機を所有するユーザが不在時に、その電話機にかけた相手からの用件を受け付けるために、相手先からの着信に応答し、相手からの用件を録音する留守番電話装置が広く普及している。
【０００３】
ユーザが帰宅した後に、留守番電話装置の操作手段を介して、用件再生を指示すると、上記留守番電話装置に録音されている用件を聞くことができる。また、外出先の電話機から上記留守番電話装置に電話し、通話状態となった後に、ＤＴＭＦ信号を使って遠隔操作することによって、上記留守番電話装置に用件再生を指示し、用件を聞くことができる。
【０００４】
さらに、装置の利便性を高めるために、不在時の外出先連絡先が分かっている場合に、特に、近年は、携帯電話を携帯するユーザが圧倒的に多いこともあり、留守番電話装置に、外出先連絡先の電話番号を予め登録し、相手からの用件を録音したことを合図に、留守番電話装置が外出先連絡先の電話機を呼び出し、上記電話機で応答し、遠隔操作によって用件を聞き出す機能が提供されている。これは、一般に留守録転送機能と言われている。
【０００５】
また、これとは別に、着信時に電話回線を介して交換機から送られてくる発信者電話番号を受信し、上記発信者電話番号を電話機に表示することによって、ユーザが着信に応答する前に、発信者を特定することができる発信者電話番号通知機能が存在している。そして、発信者電話番号を受信する装置は、受信した発信者電話番号と、着信日時とを、着信履歴として、記憶手段に蓄積する機能が提供されている。
【０００６】
なお、ＤＴＭＦ信号を使った留守番電話機の遠隔操作（たとえば、特許文献１参照）、装置に記憶させた電話番号宛に転送を行う留守番電話機（たとえば、特許文献２参照）、発信者電話番号通知機能を利用した留守番電話機（たとえば、特許文献３参照）が知られている。
【特許文献１】特開平０５−２６８３２４号公報
【特許文献２】特開平０５−０１４４８６号公報
【特許文献３】特開平１１−２７５２１１号公報
【発明の開示】
【発明が解決しようとする課題】
【０００７】
発信者電話番号を着信履歴として蓄積する記憶手段の容量は有限であり、つまり着信履歴に保存することのできる発信者電話番号件数には上限があるので、上記件数が上限に達している状態で、着信して発信者電話番号を受信した場合、着信日時の最も古い発信者電話番号を着信履歴から削除し、新たに受信した発信者電話番号を着信履歴に蓄積する着信履歴管理方式が採用されている。
【０００８】
上記着信履歴管理方式は、着信日時の新しい発信者電話番号ほど価値の高い情報であるという前提で、着信履歴を管理している。
【０００９】
ここで、発信者電話番号件数が上限に達している状態で、留守番電話装置に録音されている用件を、ユーザが聞き出すために、留守録転送先として留守番電話装置に登録している外出先連絡先の電話機から上記留守番電話装置に電話をかけた場合を考える。
【００１０】
この場合、上記留守番電話装置は、外出先連絡先の電話機から着信すると、発信者電話番号を受信するので、上記着信履歴管理方式に基づいて、着信日時が最も古い発信者電話番号を着信履歴から削除し、今回受信した外出先連絡先の電話番号を、着信履歴に蓄積する。
【００１１】
発信者電話番号通知機能は、発信者電話番号に基づいて発信者を特定する機能である。また、不在時に留守番電話装置に用件が残ってなく、着信履歴に発信者電話番号が蓄積されている場合に、上記発信者電話番号宛に、電話をかけ直すことができる機能でもある。
【００１２】
しかし、留守録転送先として、留守番電話装置に登録している外出先連絡先の電話番号が着信履歴に蓄積されていても、発信者は極めて限られた人に特定することができ、また、その番号宛に電話をかけ直すことがないので、着信履歴に蓄積する意味がないという問題がある。
【００１３】
したがって、着信履歴に蓄積することが無意味である発信者電話番号を、着信履歴に蓄積することによって、意味のある発信者電話番号が、着信履歴から削除されるという問題がある。
【００１４】
また、発信者電話番号件数が上限に達していなくても、留守録転送先電話番号を着信履歴に蓄積すると、ユーザが着信履歴検索を行う際に、無意味な操作が増えるので、煩わしいという問題がある。
【００１５】
本発明は、着信時に電話回線を介して交換機から送られてくる発信者電話番号データを受信し、上記発信者電話番号データに基づいて、発信者電話番号を着信履歴に蓄積する機能を有する留守番電話装置において、意味のある発信者電話番号が着信履歴から削除されることを回避することができる留守番電話装置を提供することを目的とするものである。
【００１６】
また、本発明は、発信者電話番号件数が上限に達していなくても、留守録転送先電話番号を着信履歴に蓄積することによってユーザが着信履歴検索を行う際に無意味な操作が増えることによる煩わしさを感じさせることがない留守番電話装置を提供することを目的とするものである。
【課題を解決するための手段】
【００１７】
本発明は、相手機からの着信を検出する着信検出手段と、着信時に電話回線を介して交換機から送られてくる発信者電話番号データを受信する発信者電話番号データ受信手段と、上記発信者電話番号データに基づいて、発信者電話番号を、着信履歴として記憶する着信履歴記憶手段と、上記発信者電話番号データに基づいて、発信者電話番号を表示する表示手段と、相手機からの着信に応答する着信応答手段と、着信応答後に、応答メッセージを再生する再生手段と、上記応答メッセージ再生後に、相手からの音声メッセージを録音する録音手段と、上記応答メッセージと音声メッセージとを蓄積するメッセージ記憶手段と、上記音声メッセージを録音し、留守録転送する場合に、留守録転送先電話番号を登録操作する操作手段と、上記留守録転送先電話番号を記憶する留守録転送先電話番号記憶手段と、上記留守録転送先電話番号が上記記憶手段に登録されているときに着信し、上記発信者電話番号データ受信手段が受信した発信者電話番号が、上記留守録転送先電話番号と一致すれば、上記発信者電話番号を上記着信履歴記憶手段に記憶することを阻止する制御手段とを有する留守番電話装置である。
【発明の効果】
【００１８】
本発明によれば、着信時に電話回線を介して交換機から送られてくる発信者電話番号データを受信し、上記発信者電話番号データに基づいて、発信者電話番号を着信履歴に蓄積する機能を有する留守番電話装置において、着信履歴に保存することのできる発信者電話番号件数が上限に達している状態で、着信履歴に蓄積することが無意味である発信者電話番号を着信履歴に蓄積することを阻止するので、意味のある発信者電話番号が着信履歴から削除されることを回避することができるという効果を奏する。
【００１９】
また、本発明によれば、発信者電話番号件数が上限に達していなくても、留守録転送先電話番号を着信履歴に蓄積することによってユーザが着信履歴検索を行う際に無意味な操作が増えることによる煩わしさを感じさせないという効果を奏する。
【発明を実施するための最良の形態】
【００２０】
発明を実施するための最良の形態は、以下に示す実施例である。
【実施例１】
【００２１】
図１は、本発明の実施例１である留守番電話装置Ｔ１を示すブロック図である。
【００２２】
留守番電話装置Ｔ１は、ＣＰＵ１０と、着信検出手段１１と、着信応答手段１２と、録音再生手段１３と、メッセージ記憶手段１４と、発信者電話番号データ受信手段１５と、着信履歴記憶手段１６と、表示手段１７と、操作手段１８と、留守録転送先電話番号記憶手段１９と、バスＢ１とを有する。
【００２３】
ＣＰＵ１０は、留守番電話装置Ｔ１を制御する。着信検出手段１１は、電話回線からの着信信号を検出する手段であり、着信応答手段１２は、留守番電話モード時に着信に応答する手段である。録音再生手段１３は、メッセージを録音再生する手段であり、メッセージ記憶手段１４は、応答メッセージと音声メッセージとを蓄積する手段である。
【００２４】
発信者電話番号データ受信手段１５は、着信時に電話回線を介して交換機から送られてくる発信者電話番号データを受信する手段である。着信履歴記憶手段１６は、発信者電話番号を着信履歴として記憶する手段であり、表示手段１７は、発信者電話番号を表示する手段である。操作手段１８は、留守録転送先電話番号の登録操作を行い、留守番電話装置Ｔ１に各種指示を行う手段であり、留守録転送先電話番号記憶手段１９は、留守録転送を行う宛先である電話番号を記憶する手段である。バスＢ１は、各デバイス／ブロックを接続するバスである。
【００２５】
つまり、ＣＰＵ１０は、留守録転送先電話番号が記憶手段に登録されているときに着信し、発信者電話番号データ受信手段が受信した発信者電話番号が、留守録転送先電話番号と一致すれば、発信者電話番号を着信履歴記憶手段に記憶することを阻止する制御手段の例である。
【００２６】
次に、留守番電話装置Ｔ１の動作について説明する。
【００２７】
図２は、留守番電話装置Ｔ１における第１の動作を示すフローチャートである。
【００２８】
まず、電話回線と接続している着信検出手段１１によって、着信信号を検出したかどうかをチェックする（Ｓ１）。着信信号を検出すれば、着信信号とともに、着信信号間の無音時に交換機から送られてくる発信者電話番号データを、発信者電話番号データ受信手段１５で受信する（Ｓ２）。
【００２９】
次に、上記受信した発信者電話番号データに基づいて、表示手段１７に発信者電話番号を表示する（Ｓ３）。そして、留守録転送先電話番号記憶手段１９に留守録転送先電話番号が登録されているかどうかをチェックする（Ｓ４）。上記留守録転送先電話番号が登録されていれば、上記留守録転送先電話番号と、着信時に受信した発信者電話番号とが一致するかどうかをチェックする（Ｓ５）。
【００３０】
上記留守録転送先電話番号と発信者電話番号とが一致すれば、着信履歴記憶手段１６に上記発信者電話番号を蓄積せずに、発信者電話番号データ処理を終了する。すなわち、発信者電話番号データ受信手段が受信した発信者電話番号が、留守録転送先電話番号と一致すれば、発信者電話番号を着信履歴記憶手段に記憶することを、ＣＰＵ１０が阻止する。このようにすることによって、着信履歴に保存することのできる発信者電話番号件数が上限に達している状態において、意味のある発信者電話番号が着信履歴から削除されることを回避することができ、また、発信者電話番号件数が上限に達していなくても、留守録転送先電話番号を着信履歴に蓄積することによってユーザが着信履歴検索を行う際に無意味な操作が増えることによる煩わしさを感じさせない。
【００３１】
一方、留守録転送先電話番号記憶手段１９に留守録転送先電話番号が登録されていなければ（Ｓ４）、または、留守録転送先電話番号と発信者電話番号とが一致しなければ（Ｓ５）、着信履歴記憶手段１６に上記発信者電話番号を蓄積し（Ｓ６）、発信者電話番号データ処理を終了する。
【００３２】
つまり、ＣＰＵ１０は、留守録転送先電話番号が記憶手段に登録され、しかも、留守録転送待機しているときに着信し、上記発信者電話番号データ受信手段が受信した発信者電話番号が、上記留守録転送先電話番号と一致すれば、上記発信者電話番号を上記着信履歴記憶手段に記憶することを阻止する制御手段の例である。
【００３３】
図３は、留守番電話装置Ｔ１における第２の動作を示すフローチャートである。
【００３４】
電話回線と接続されている着信検出手段１１が、着信信号を検出したかどうかをチェックする（Ｓ１１）。着信信号を検出すれば、着信信号とともに、着信信号間の無音時に、交換機から送られてくる発信者電話番号データを、発信者電話番号データ受信手段１５が受信する（Ｓ１２）。
【００３５】
次に、上記受信した発信者電話番号データに基づいて、表示手段１７に発信者電話番号を表示する（Ｓ１３）。そして、留守録転送先電話番号記憶手段１９に留守録転送先電話番号が登録されているかどうかをチェックする（Ｓ１４）。上記留守録転送先電話番号が登録されていれば、上記留守録転送先電話番号と、着信時に受信した発信者電話番号とが一致するかどうかをチェックする（Ｓ１５）。
【００３６】
上記留守録転送先電話番号と発信者電話番号とが一致すれば、現在、装置が留守録転送待機状態であるかをチェックする（Ｓ１６）。現在、装置が留守録転送待機状態であれば、着信履歴記憶手段１６に上記発信者電話番号を蓄積せずに、発信者電話番号データ処理を終了する。すなわち、留守録転送先電話番号記憶手段１９に留守録転送先電話番号が登録され（Ｓ１４）、留守録転送先電話番号と発信者電話番号とが一致しても（Ｓ１５）、現在、装置が留守録転送待機状態であれば（Ｓ１６）、留守録動作を優先し、着信履歴記憶手段１６への発信者電話番号の蓄積を行わない。
【００３７】
一方、留守録転送先電話番号記憶手段１９に留守録転送先電話番号が登録されていなければ（Ｓ１４）、または、留守録転送先電話番号と発信者電話番号とが一致しなければ（Ｓ１５）、または、現在、装置が留守録転送待機状態でなければ（Ｓ１６）、着信履歴記憶手段１６に上記発信者電話番号を蓄積し（Ｓ１７）、発信者電話番号データ処理を終了する。
【００３８】
図４は、留守番電話装置Ｔ１における第３の動作を示すフローチャートである。
【００３９】
まず、電話回線と接続している着信検出手段１１によって、着信信号を検出したかどうかをチェックする（Ｓ２１）。着信信号を検出すれば、着信信号とともに、着信信号間の無音時に交換機から送られてくる発信者電話番号データを、発信者電話番号データ受信手段１５で受信する（Ｓ２２）。次に、上記受信した発信者電話番号データに基づいて、表示手段１７に、発信者電話番号を表示する（Ｓ２３）。
【００４０】
着信検出手段１１が検出した着信信号の個数が、留守録応答するまでの所定の個数に達したかどうかをチェックし、つまり、留守録応答するまでの所定の鳴動回数に達したかどうかをチェックする（Ｓ２４）。
【００４１】
留守録応答するまでの所定の鳴動回数に達すれば、着信応答手段１２が、回線を閉結した後に、録音再生手段１３が、応答メッセージを回線に送出するために再生し、上記応答メッセージ再生終了後に、相手からの音声メッセージを録音し、メッセージ記憶手段１４に蓄積するという一連の留守録応答動作を開始する（Ｓ２５）。
【００４２】
ところで、留守録応答するまでの所定の鳴動回数に達していなければ（Ｓ２４）、着信が終了したかどうかを、着信検出手段１１がチェックする（Ｓ２６）。上記着信が終了すれば、着信履歴記憶手段１６に上記発信者電話番号を蓄積し（Ｓ３１）、発信者電話番号データ処理を終了する。着信が終了していなければ、留守録応答するまでの所定の鳴動回数に達したかどうかをチェックする（Ｓ２４）。留守録応答動作を開始した後に、上記留守録応答動作中に留守番電話装置のメッセージ記憶手段１４に蓄積されている用件を聞き出す（Ｓ２５）ために、遠隔操作指示が行われたかどうかをチェックする（Ｓ２７）。
【００４３】
上記遠隔操作指示が行われれば、留守録転送先電話番号が留守録転送先電話番号記憶手段１９に登録されているかどうかをチェックする（Ｓ２８）。遠隔操作指示が行われていなければ（Ｓ２７）、相手先が電話を切ることによって、回線が断されたかどうかをチェックする（Ｓ２９）。
【００４４】
上記回線が断されれば、着信履歴記憶手段１６に上記発信者電話番号を蓄積し（Ｓ３１）、発信者電話番号データ処理を終了する。回線が断されていなければ（Ｓ２９）、遠隔操作指示が行われたかどうかをチェックする（Ｓ２７）。上記留守録転送先電話番号が登録されていれば（Ｓ２８）、上記留守録転送先電話番号と着信時に受信した発信者電話番号とが一致するかどうかをチェックする（Ｓ３０）。
【００４５】
上記留守録転送先電話番号と発信者電話番号とが一致すれば、着信履歴記憶手段１６に上記発信者電話番号を蓄積せずに、発信者電話番号データ処理を終了する。すなわち、留守録転送先電話番号記憶手段１９に留守録転送先電話番号が登録され（Ｓ２８）、また、留守録転送先電話番号と発信者電話番号とが一致すれば（Ｓ３０）、着信履歴記憶手段１６に発信者電話番号を記憶することを、ＣＰＵ１０が阻止する。このようにすることによって、着信履歴に保存することのできる発信者電話番号件数が上限に達している状態において、意味のある発信者電話番号が着信履歴から削除されることを回避することができ、また、発信者電話番号件数が上限に達していなくても、留守録転送先電話番号を着信履歴に蓄積することによってユーザが着信履歴検索を行う際に無意味な操作が増えることによる煩わしさを感じさせない。
【００４６】
一方、留守録転送先電話番号記憶手段１９に留守録転送先電話番号が登録されていなければ（Ｓ２８）、または、留守録転送先電話番号と発信者電話番号とが一致しなければ（Ｓ３０）、着信履歴記憶手段１６に上記発信者電話番号を蓄積し（Ｓ３１）、発信者電話番号データ処理を終了する。
【００４７】
つまり、ＣＰＵ１０は、留守録転送先電話番号が記憶手段に登録されているときに着信し、発信者電話番号データ受信手段が受信した発信者電話番号が、留守録転送先電話番号と一致する場合、相手機が遠隔操作すると、発信者電話番号を着信履歴記憶手段に記憶することを阻止する制御手段の例である。
【実施例２】
【００４８】
ところで、電話機を所有するユーザが不在時において、電話機にかけてきた相手からの用件を受け付けるために、相手先からの着信に応答し、相手からの用件を録音する留守番電話装置が広く普及している。
【００４９】
上記留守番電話装置に録音された用件は、ユーザが帰宅後に、装置の操作手段による用件再生指示によって用件を聞くことができる。また、外出先の電話機から上記留守番電話装置に電話し、通話状態となった後、ＤＴＭＦ信号を使った遠隔操作によって、上記留守番電話装置に、用件再生を指示し、用件を聞くことができる。
【００５０】
また、それとは別に、着信時に電話回線を介して交換機から送られてくる発信者電話番号を受信し、上記発信者電話番号を電話機に表示することによって、ユーザが着信に応答する前に、発信者を特定することができる発信者電話番号通知機能がある。そして、発信者電話番号を受信する装置は、受信した発信者電話番号を着信日時とともに着信履歴として記憶手段に蓄積する機能を提供することが一般的に行われている。
【００５１】
発信者電話番号を着信履歴として蓄積する記憶手段の容量は有限である、つまり、着信履歴に保存することのできる発信者電話番号件数には上限があるので、上記件数が上限に達している状態で、着信して発信者電話番号を受信した場合、最も着信日時の古い発信者電話番号を着信履歴から削除し、新たに受信した発信者電話番号を着信履歴に蓄積するという着信履歴管理方式が採用されている。
【００５２】
上記方式は、着信日時の新しい発信者電話番号ほど、価値の高い情報であるという前提によって行われている。
【００５３】
ここで、発信者電話番号件数が上限に達している状態で、ユーザが留守番電話装置に録音されている用件を聞き出すので、外出先の電話機から上記留守番電話装置に電話をかけることを考える。上記留守番電話装置が、外出先の電話機からの着信による発信者電話番号を受信すると、上記着信履歴管理方式に基づいて、最も着信日時の古い発信者電話番号を着信履歴から削除し、今回受信した外出先の電話機の電話番号を着信履歴に蓄積する。
【００５４】
発信者電話番号通知機能は、発信者電話番号によって発信者を特定するための機能であり、また、不在時に留守番電話装置に用件が残っておらず、着信履歴に発信者電話番号が蓄積されている場合に、上記発信者電話番号宛に電話をかけ直すことを可能にする機能である。
【００５５】
しかし、留守番電話装置に蓄積されている用件を聞き出すことを目的として上記留守番電話装置に電話をかけてきた人、つまり発信者は、極めて限られた人に特定することができる。また、その着信によって受信した発信者電話番号を着信履歴に蓄積しても、上記電話番号にかけ直すことに意味はない。
【００５６】
したがって、着信履歴に蓄積することが無意味である発信者電話番号を、着信履歴に蓄積することによって、意味のある発信者電話番号が着信履歴から削除されるというも問題がある。
【００５７】
また、発信者電話番号件数が上限に達していなくても、留守番電話装置に蓄積されている用件を聞き出すことを目的とする着信によって受信した発信者電話番号を着信履歴に蓄積すると、ユーザが着信履歴検索を行う際に、無意味な操作が増える等で煩わしさを感じるという問題がある。
【００５８】
図５は、本発明の実施例２である留守番電話装置Ｔ２を示す図である
留守番電話装置Ｔ２は、ＣＰＵ２０と、着信検出手段２１と、着信応答手段２２と、録音再生手段２３と、メッセージ記憶手段２４と、モデム２５と、記憶手段２６と、表示手段２７と、操作手段２８と、バスＢ２とを有する。
【００５９】
ＣＰＵ２０は、装置の制御を行う。着信検出手段２１は、電話回線からの着信信号を検出する手段であり、着信応答手段２２は、留守番電話モード時に着信に応答する手段である。録音再生手段２３は、メッセージを録音再生し、メッセージ記憶手段２４は、応答メッセージと音声メッセージとを蓄積する手段である。モデム２５は、着信時に電話回線を介して交換機から送られてくる発信者電話番号データを受信する発信者電話番号データ受信手段および相手機から遠隔操作を行う際に送られてくるＤＴＭＦを検出するＤＴＭＦ検出手段である。
【００６０】
記憶手段２６は、発信者電話番号を着信履歴として記憶する着信履歴記憶手段でもあり、装置の各種状態を記憶する手段である。表示手段２７は、発信者電話番号を表示する手段であり、操作手段２８は、装置に対して各種指示を行う。バスＢ２は、各デバイス／ブロックを接続するバスである。
【００６１】
すなわち、ＣＰＵ２０は、着信後に、相手機から遠隔操作を受け付けると、上記着信における発信者電話番号を、着信履歴記憶手段に記憶することを阻止する制御手段の例である。
【００６２】
次に、留守番電話装置Ｔ２の動作について説明する。
【００６３】
図６、図７は、留守番電話装置Ｔ２における第１の動作を示すフローチャートである。
【００６４】
まず、電話回線と接続している着信検出手段２１が、着信信号を検出したかどうかをチェックする（Ｓ４１）。着信信号を検出すれば、着信信号とともに、着信信号間の無音時に交換機から送られてくる発信者電話番号データを、発信者電話番号データ受信手段であるモデム２５が受信する（Ｓ４２）。
【００６５】
次に、上記受信した発信者電話番号データに基づいて、発信者電話番号を、表示手段２７に表示する（Ｓ４３）。そして、着信検出手段２１が検出した着信信号の個数が、留守録応答するまでの所定の個数に達したかどうかをチェックする（Ｓ４４）。つまり、留守録応答するまでの所定の鳴動回数に達したかどうかをチェックする。留守録応答するまでの所定の鳴動回数に達すれば、着信応答手段２２が、回線を閉結した後に、応答メッセージを回線に送出するために、録音再生手段２３が再生し、上記応答メッセージの再生終了後に、相手からの音声メッセージを録音し、メッセージ記憶手段２４に蓄積するという一連の留守録応答動作を開始する（Ｓ４５）。
【００６６】
一方、留守録応答するまでの所定の鳴動回数に達していなければ（Ｓ４４）、着信が終了したかどうかを、着信検出手段２１がチェックし（Ｓ４６）、着信が終了すれば、着信履歴記憶手段でもある記憶手段２６に、上記発信者電話番号を蓄積し（Ｓ６７）、発信者電話番号データ処理を終了する。着信が終了していなければ（Ｓ４６）、留守録応答するまでの所定の鳴動回数に達したかどうかをチェックする（Ｓ４４）。
【００６７】
留守録応答動作を開始した（Ｓ４５）後に、上記留守録応答動作中に留守番電話装置のメッセージ記憶手段２４に蓄積されている用件を聞き出すために、遠隔操作開始指示が行われたかどうかをチェックする（Ｓ４７）。ＤＴＭＦ検出手段であるモデム２５が、ＤＴＭＦの＃を検出したかどうかをチェックし（Ｓ４７）、ＤＴＭＦの＃を検出すれば、遠隔操作を許可するためのバスワード入力におけるバスワード入力可能回数を変数Ｎとして、記憶手段に設定し（Ｓ４８）、バスワード入力が完了したかどうかをチェックする（Ｓ６１）。
【００６８】
一方、ＤＴＭＦの＃を検出しなければ（Ｓ４７）、相手先が電話を切ることによって回線が断されたかをチェックし（Ｓ４９）、回線が断されれば、着信履歴記憶手段でもある記憶手段２６に上記発信者電話番号を蓄積し（Ｓ６７）、発信者電話番号データ処理を終了する。
【００６９】
回線が断されていなければ（Ｓ４９）、留守録応答がタイムアウトになったかどうかをチェックし（Ｓ５０）、留守録応答がタイムアウトになれば、着信履歴記憶手段でもある記憶手段２６に上記発信者電話番号を蓄積し（Ｓ６７）、発信者電話番号データ処理を終了する。留守録応答がタイムアウトしていなければ（Ｓ５０）、再び遠隔操作開始指示を意味する、ＤＴＭＦの＃を検出したかどうかをチェックする（Ｓ４７）。
【００７０】
次に、遠隔操作を許可するためのバスワード入力におけるバスワード入力可能回数を、変数Ｎに設定し、記憶手段２６に記憶した（Ｓ４８）後に、バスワード入力が完了したかどうかをチェックする（Ｓ６１）。このパスワード入力が完了すれば、入力されたパスワードと、記憶手段２６に保持している遠隔操作許可用のパスワードとが一致するかどうかをチェックする（Ｓ６２）。パスワード入力が完了していなければ、パスワード入力制限時間がタイムアウトになったかどうかをチェックする（Ｓ６３）。
【００７１】
パスワード入力制限時間がタイムアウトになれば（Ｓ６３）、遠隔操作を受け付けずに留守録応答を終了するために、着信履歴記憶手段でもある記憶手段２６に、上記発信者電話番号を蓄積し（Ｓ６７）、発信者電話番号データ処理を終了する。
【００７２】
パスワード入力制限時間がタイムアウトになっていなければ（Ｓ６３）、再びパスワード入力が完了したかどうかをチェックする（Ｓ６１）。入力されたパスワードと、記憶手段２６に保持している遠隔操作許可用のパスワードとが一致すれば（Ｓ６２）、相手機からの遠隔操作を受け付け（Ｓ６４）、用件を聞き出すことを目的とする着信であることが分かったので、上記着信によって受信した発信者電話番号を着信履歴に蓄積せずに、発信者電話番号データ処理を終了する。
【００７３】
つまり、着信後に、相手機から遠隔操作を受け付けると、上記着信における発信者電話番号を、着信履歴記憶手段に記憶することを阻止する。
【００７４】
入力されたパスワードと、記憶手段２６に保持している遠隔操作許可用のパスワードとが一致しなければ（Ｓ６２）、記憶手段２６に保持されているパスワード入力可能回数Ｎを１つ減じて更新し（Ｓ６５）、上記パスワード入力可能回数Ｎが０であるかどうかをチェックする（Ｓ６６）。パスワード入力可能回数Ｎが０であれば、遠隔操作を受け付けずに留守録応答を終了するために、着信履歴記憶手段でもある記憶手段２６に上記発信者電話番号を蓄積し（Ｓ６７）、発信者電話番号データ処理を終了する。パスワード入力可能回数Ｎが０でなければ（Ｓ６６）、再びパスワード入力が完了したかどうかをチェックする（Ｓ６１）。
【００７５】
図８、図９は、留守番電話装置Ｔ２における第２の動作を示すフローチャートである。
【００７６】
まず、電話回線と接続している着信検出手段２１が、着信信号を検出したかどうかをチェックする（Ｓ７１）。着信信号を検出すれば、着信信号とともに、着信信号間の無音時に交換機から送られてくる発信者電話番号データを、発信者電話番号データ受信手段であるモデム２５が受信する（Ｓ７２）。
【００７７】
次に、上記受信した発信者電話番号データに基づいて、表示手段２７に発信者電話番号を表示し（Ｓ７３）、着信検出手段２１が検出した着信信号の個数が、留守録応答するまでの所定の個数に達したか、つまり、留守録応答するまでの所定の鳴動回数に達したかどうかをチェックする（Ｓ７４）。留守録応答するまでの所定の鳴動回数に達すれば、着信応答手段２２が回線を閉結した後に、録音再生手段２３が、応答メッセージを回線に送出するために再生し、上記応答メッセージ再生終了後に、相手からの音声メッセージを録音し、メッセージ記憶手段２４に蓄積するという一連の留守録応答動作を開始する（Ｓ７５）。
【００７８】
一方、留守録応答するまでの所定の鳴動回数に達していなければ（Ｓ７４）、着信が終了したかどうかを、着信検出手段２１がチェックする（Ｓ７６）。着信が終了すれば、着信履歴記憶手段でもある記憶手段２６に上記発信者電話番号を蓄積し（Ｓ８０）、発信者電話番号データ処理を終了する。着信が終了していなければ（Ｓ７６）、留守録応答するまでの所定の鳴動回数に達したかどうかをチェックする（Ｓ７４）。
【００７９】
留守録応答動作を開始した（Ｓ７５）後に、上記留守録応答動作中に留守番電話装置のメッセージ記憶手段２４に蓄積されている用件を聞き出すために、遠隔操作開始指示が行われたかどうかをチェックし（Ｓ７７）、ＤＴＭＦ検出手段であるモデム２５が、ＤＴＭＦの＃を検出したかどうかをチェックする。ＤＴＭＦの＃を検出すれば、遠隔操作を許可するためのパスワード入力におけるパスワード入力可能回数を変数Ｎとし、記憶手段に設定し（Ｓ７８）、パスワードの入力が完成したかどうかを判断する（Ｓ９１）。
【００８０】
ＤＴＭＦの＃を検出しなければ（Ｓ７７）、相手先が電話を切ることによって回線が断されたかどうかをチェックし（Ｓ７９）、回線が断されれば、着信履歴記憶手段でもある記憶手段２６に上記発信者電話番号を蓄積し（Ｓ８０）、発信者電話番号データ処理を終了する。
【００８１】
回線が断されていなければ（Ｓ７９）、留守録応答がタイムアウトになったかどうかをチェックし（Ｓ８１）、留守録応答がタイムアウトになれば、着信履歴記憶手段でもある記憶手段２６に上記発信者電話番号を蓄積し（Ｓ８０）、発信者電話番号データ処理を終了する。留守録応答がタイムアウトになっていなければ（Ｓ８１）、再び遠隔操作開始指示を意味するＤＴＭＦの＃を検出したかどうかをチェックする（Ｓ７７）。
【００８２】
遠隔操作を許可するためのパスワード入力におけるパスワード入力可能回数を変数Ｎとし、記憶手段に設定した（Ｓ７８）後に、パスワード入力が完了したかどうかをチェックする（Ｓ９１）。上記パスワード入力が完了すれば、入力されたパスワードと、記憶手段２６に保持している遠隔操作許可用のパスワードとが一致するかどうかをチェックし（Ｓ９２）、パスワード入力が完了していなければ、パスワード入力制限時間がタイムアウトになったかどうかをチェックする（Ｓ９３）。
【００８３】
パスワード入力制限時間がタイムアウトになれば（Ｓ９３）、上記着信によって受信した発信者電話番号を着信履歴に蓄積せずに、発信者電話番号データ処理を終了する。パスワード入力制限時間がタイムアウトになっていなければ（Ｓ９３）、再びパスワード入力が完了したかどうかをチェックする（Ｓ９１）。入力されたパスワードと、記憶手段２６に保持している遠隔操作許可用のパスワードとが一致すれば（Ｓ９２）、相手機からの遠隔操作を受け付け（Ｓ９４）、上記着信によって受信した発信者電話番号を着信履歴に蓄積せずに、発信者電話番号データ処理を終了する。
【００８４】
つまり、着信後、相手機が遠隔操作を試みた場合に、上記着信における発信者電話番号を着信履歴記憶手段に記憶することを阻止する。すなわち、ＣＰＵ２０は、着信後、相手機が遠隔操作を試みた場合に、上記着信における発信者電話番号を、着信履歴記憶手段に記憶することを阻止する制御手段の例である。
【００８５】
一方、入力されたパスワードと、記憶手段２６に保持している遠隔操作許可用のパスワードとが一致しなければ（Ｓ９２）、記憶手段２６に保持されているパスワード入力可能回数Ｎを、１つ減じて更新する（Ｓ９５）。そして、上記パスワード入力可能回数Ｎが０であるかどうかをチェックし（Ｓ９６）、上記パスワード入力可能回数Ｎが０であれば、上記着信によって受信した発信者電話番号を着信履歴に蓄積せずに発信者電話番号データ処理を終了する。パスワード入力可能回数Ｎが０でなければ（Ｓ９６）、Ｓ９１に戻り、再びパスワード入力が完了したかどうかをチェックする。
【図面の簡単な説明】
【００８６】
【図１】本発明の実施例１である留守番電話装置Ｔ１を示すブロック図である。
【図２】留守番電話装置Ｔ１における第１の動作を示すフローチャートである。
【図３】留守番電話装置Ｔ１における第２の動作を示すフローチャートである。
【図４】留守番電話装置Ｔ１における第３の動作を示すフローチャートである。
【図５】本発明の実施例２である留守番電話装置Ｔ２を示す図である。
【図６】留守番電話装置Ｔ２における第１の動作を示すフローチャートである。
【図７】留守番電話装置Ｔ２における第１の動作を示すフローチャートである。
【図８】留守番電話装置Ｔ２における第２の動作を示すフローチャートである。
【図９】留守番電話装置Ｔ２における第２の動作を示すフローチャートである。
【符号の説明】
【００８７】
Ｔ１、Ｔ２…留守番電話装置、
１０、２０…ＣＰＵ、
１１、２１…着信検出手段、
１２、２２…着信応答手段、
１３、２３…録音再生手段、
１４、２４…メッセージ記憶手段、
１５…発信者電話番号データ受信手段、
１６…着信履歴記憶手段、
１７、２７…表示手段、
１８、２８…操作手段、
１９…留守録転送先電話番号記憶手段、
２５…モデム、
２６…記憶手段。
【図１】
2005079772.tif 000003
【図２】
2005079772.tif 000004
【図３】
2005079772.tif 000005
【図４】
2005079772.tif 000006
【図５】
2005079772.tif 000007
【図６】
2005079772.tif 000008
【図７】
2005079772.tif 000009
【図８】
2005079772.tif 000010
【図９】
2005079772.tif 000011